Podtech/llm-jp-corpus-v4-ja_patent huggingface dataset:
(57)【要約】【課題】この発明は、水切り溝を設けて太径段部へ水が溜まることを未然に防止することを目的としたものである。【解決手段】この発明は、口縁部の外側に太径段部を有する積み重ねできる食器において、前記段部へ水切り溝を設けたことを特徴とする水切りできる食器により目的を達成した。【選択図】      図１
2004159678.tif 000002
【特許請求の範囲】
【請求項１】
口縁部の外側に太径段部を有する積み重ねできる食器において、前記段部へ水切り溝を設けたことを特徴とする水切りできる食器。
【請求項２】
太径段部は、波形としたことを特徴とする請求項１記載の水切りできる食器。
【請求項３】
水切り溝は、正面三角形状又は弧状とし、段部の内周部から外周部に向かって順次浅く形成したことを特徴とする請求項１記載の水切りできる食器。
【請求項４】
水切り溝は食器を伏せた時の波形の最上部付近に設けたことを特徴とする請求項１又は２記載の水切りできる食器。
【発明の詳細な説明】
【０００１】
【発明の属する技術分野】
この発明は、段部のある食器を積み重ねた際に、段部上に溜まった水が、自重により自動流出することを目的とした水切りできる食器に関する。
【０００２】
【従来の技術】
従来、コップその他底部外径が口部内形より小さい容器類は、積み重ねて収納し、又は水切りのために網篭などに収容している。また、口部外側壁に太径の段部を有するコップなどの食器についても積み重ねて収納しているが、前記段部と、外側に重ねた食器の口部内壁との間に水が溜まることがあった。
【０００３】
【特許文献１】実公昭６２−１１７７２号公報
【０００４】
【発明により解決しようとする課題】
前記従来の食器において、段部を波形に形成した場合には、波形の上方（逆転積み重ねの場合）から下方へ流下する場合もあるが、波形の頂部と、外側に重ねた食器の口部内壁との間に水が溜まり、表面張力のために流下しない問題点があった。
【０００５】
【課題を解決するための手段】
然るにこの発明は、食器の太径段部に水切り溝を設けることにより、前記従来の問題点を解決したのである。
【０００６】
即ちこの発明は、口縁部の外側に太径段部を有する積み重ねできる食器において、前記段部へ水切り溝を設けたことを特徴とする水切りできる食器であり、太径段部は、波形としたものである。また、水切り溝は、正面三角形状又は弧状とし、段部の内周部から外周部に向かって順次浅く形成したものであり、水切り溝は食器を伏せた時の波形の最上部（頂部）付近に設けたものである。
【０００７】
この発明によれば、太径段部の内周部から外周部に向かって順次浅く形成した水切り溝を設けたので、食器を重ねた場合においても、内側食器の段部と、外側食器の口部内壁とによって水を保留することなく水を完全に切ることができる。
【０００８】
前記水切り溝の形状は、三角状又は弧状に限定されることはないが、基部側を広くして表面張力が生じ難くし、先端側は順次浅く形成してスムースに排水できることが好ましい。
【０００９】
【発明の実施の形態】
この発明によれば、積み重ねできる食器であること、外側の口縁側に太径段部があること、前記太径段部の上縁（食器を転倒した場合）中、特に最上部へ三角状又は円弧状の水切り溝を設けたものである。
【００１０】
この発明は、内側食器の外径で太径段部の上縁部と、外側食器の内壁との間に水が溜まらないようにすることを目的としたもので、水の表面張力が働かない形状にした方が好ましい。
【００１１】
【実施例】
この発明の実施例を図１、２について説明する。陶磁器性のカップ１の口縁部外側へ太径の波形段部２を設け、該波形段部２の頂部２ａ付近へ三角状の水切り溝３（図１の（ａ））又は円弧状の水切り溝４を設けたものである。例えば、前記水切り溝３の奥側３ａが深く、手前側３ｂが浅く形成してある（図２−（ｂ））。
【００１２】
この発明は、前記形状の水切り溝３、４であるから、波形段部２の頂部２ａ付近へ設ければ、水の表面張力による水溜まり５がなくなり、上方から流れた水はそのまま矢示６のように外部へ流れ出るので、重なり部は乾燥し、清潔に保持される。
【００１３】
【発明の効果】
従来波形模様の頂部付近に水が溜まることがあったが、この発明によれば、水切り溝を設けたので、内側の食器の太径段部と、外側の食器の口部内壁との間に水が溜まることがなくなり、容易に乾燥して衛生的に保ちうる効果がある。
【図面の簡単な説明】
【図１】（ａ）この発明の実施例の伏せた状態の正面図。
（ｂ）同じく平面図。
（ｃ）同じく他の実施例の伏せた状態の正面図。
（ｄ）同じく（ａ）の一部断面拡大図。
（ｅ）同じく（ｃ）の一部断面拡大図。
【図２】（ａ）同じく積み重ねた状態の正面図。
（ｂ）同じく一部断面拡大図。
【符号の説明】
１  カップ
２  波形段部
３、４  水溜まり
５  水溜まり
【図１】
2004159678.tif 000003
【図２】
2004159678.tif 000004
(57)【要約】【課題】盲人用である白い杖の先端から目の不自由な人が得る情報としては六感の触感に頼る他ない、しかし人生の途中から目が不自由になった場合、杖に頼ることは大変不安である、全般的に目の不自由な人は杖から得る情報に安全と安心が要求される。【解決手段】盲人用規格バーコードシート１４、を一般歩道、施設等の既設イエローレーン１２、上に施す、同バーコードは電子杖に内臓された検知センサー１１、で検知し電子回路７、で識別して予め記憶されたバーコード圧縮符合と一致する内容を音声５、又は指定部位振動板４、が振動することで使用者に方向などの情報伝達が可能となる。【選択図】図５
2004159693.tif 000002
【特許請求の範囲】
【請求項１】
盲人用規格バーコードを施した一般歩道、交差点横断歩道、駅構内、諸施設内通路等の既設イエローレーン上の各要所に盲人用規格バーコードを塗装又は同バーコードが印刷されたシートを貼る、前記バーコード面を移動する電子杖の先端に施した検知センサーでバーコードを検知、同杖に内蔵されたバーコード記憶再生回路が作動し音声又は情報部位振動板により使用者に上記バーコード情報を伝達することが出来る盲人用バーコード識別電子杖システムである。
【請求項２】
前請求項１の電子杖による盲人用規格バーコードの読み取り情報は検知センサーからのバーコード情報最初の３桁を正方向識別コードとする、正方向識別３桁の入力が無の場合、逆方向識別し予め記憶された内容と符合する内容を正方向と同一内容として使用者に伝達する、使用者の歩行を滑らかにいるため電子杖の先端部位の接地面にロールベアリングを施す、同電子杖先端に施したベアリング部位が瞬時加圧されると同杖柄の内部に一定量挿入固定され杖柄が直接地面に接し滑り転ぶこと無く人体を支える構造である。
【発明の詳細な説明】
【０００１】
【発明が属する技術分野】盲人、身障者、高齢者など歩行時の介助器具の分野である。
【０００２】
【従来の技術】身障者又は高齢などで目の不自由な人が使用する杖は従来から単なる白色の杖であり、その杖から得られる情報としては使用者の六感である触感に頼るものであった。
【０００３】
【発明が解決しようといる課題】一般歩道、駅ホーム、諸施設などの既設イエローレーン上の要所に盲人用規格バーコードを塗装又は同バーコードが印刷されたシートを施す、同盲人用規格バーコード情報を得る手段として、電子杖を用いる、電子杖の構成としては、上記バーコード検知センサー回路、同じく識別記憶再性回路、出力回路の各電子回路である、又、使用時、杖を滑らかに移動出来ること、バーコード情報内容により振動板上の部位が異なることである。
【０００４】
【課題を解決するための手段】一般歩道、駅構内、諸施設内等の既設のイエローレーン上、それぞれの要所に盲人用規格バーコードを施す、例えば、歩行位置、町名、名称、バス停、交差点横断位置、東西南北方位、等である、この場合、盲人用規格バーコードを塗装又は、同バーコードが印刷されたシートを貼る、そのバーコードに対応する電子杖を用いた場合、上記の要所を盲人用規格バーコード情報が得られる、手段として、電子杖先端にバーコード検知センサーを施す、その検知情報を使用者に伝える手段としては、電子杖に内蔵するバーコード識別回路、記憶再生回路、音声及び振動出力回路、電源装置を施す、この場合の電源装置としては充電式カドニカ電池と併用出来る太陽電池回路を有する電源装置とする。
【０００５】
【発明の実施の形態】本発明はソフトウェアー分野及びハードウェアー分野からなるシステムである、ソフトウェアーとしては、盲人用規格バーコードＲＯＭ．ＲＡＭ．ＣＰＵ等のＩＣ回路である、同バーコードは名詞、動詞、助動詞、単語等を個別圧縮符号として記憶回路に記憶し同バーコード検知情報を識別回路で照合した符号の組み合わせにより一連の情報として出力される、ハードウェアーとしては、上記のバーコード路面塗装帯、同バーコード印刷シートである、上記バーコード検知、識別、出力等電子回路を内蔵する電子杖である。
【０００６】
【実施例】盲人用規格バーコードを一般道路上に施されたイエローレーン図３−１２、に塗装又は同バーコードプリントされたバーコードシート図３−１４、を貼る、その要所は、一般道路上における東西南北方位、交差点付近のバス停位置図４−１７、地下鉄入口図４１５、駅ホーム図５−２１、等のそれぞれの要所である、上記の通りイエローレーンに施された盲人用規格バーコード情報の必要な盲人、身障者、高齢者などの目の不自由な人がその情報を得る手段として上記の盲人用規格バーコードに対応する電子杖を使用する、その電子杖に施したバーコード検知センサー図１−１０、で検知されたバーコード情報は信号線図１−１２、を介して電子基板部図１−７、のバーコード記憶再生回路で再生されバーコード情報識別回路で内容を識別し予め記憶されたバーコード情報と称号し符合する内容をスピーカー図１−５、又は、指定部位振動板図１−４、から使用者に音声又は振動で知らせる、その杖の構造としては、杖の使用者が滑らかに歩行出来る目的として杖柄図１−１、の接地面先端部位にロールベアリング図２−１０、を施す、盲人用規格バーコードに関する識別回路ではバーコード検知センサーからの読み取り込み時、進行方向からの最初の３桁を正方向と識別する、同じく３桁の入力が無い場合逆方向と識別しバーコード情報を逆再生する事で何れの方向から検知しても同一の情報が得られる、又、電子杖の先端接地面にロールベアリングを施すことで歩行時が滑らかに使用出来る。
【０００７】
【発明の効果】一般道路上の町名、丁目、番地、駅方位、バス停方位、交差点、階段位置など目の不自由な人に必要なデータを使用する杖から得られる盲人用規格バーコード要所に施する、そのバーコード情報を検知、出力回路などを内蔵した杖を使用することで東西南北、何丁目何番地、バス停、駅方位、階段位置、車両乗降位置、等の情報が得られることで目の不自由な人に安心と安全の効果がある。
【図面の簡単な説明】
【図１】電子杖断面図
【図２】電子杖先端部分断面図
【図３】盲人用バーコードシート
【図４】盲人用バーコード接地交差点付近概略図
【図５】盲人用バーコード接地駅ホーム概略図
【符号の説明】
１、電子杖柄
２、カドニカ電池
３、ソーラー電池
４、振動版
５、スピーカー
６、充電口
７、電子回路基板
８、スプリング
９、ロールベアリング枠
１０、ロールベアリング
１１、バーコード検知センサー
１２、信号線
１３、イエローレーン
１４、バーコードシート
１５、地下鉄口
１６、横断歩道
１７、バス停
１８、一般歩道
１９、一般車道
２０、階段位置
２１、駅ホーム
２２、乗降口
２３、電車
【図１】
2004159693.tif 000003
【図２】
2004159693.tif 000004
【図３】
2004159693.tif 000005
【図４】
2004159693.tif 000006
【図５】
2004159693.tif 000007
(57)【要約】【課題】気軽に安心して食べられて、忙しい現代人の簡単な栄養補助食品としても利用され、子供からお年寄りまでみんなの嗜好に合うようなチョコレート味の干しバナナを提供する。【解決手段】干しバナナをひとくち大に切ったりチョコレートをコーティングする。【特許請求の範囲】
【請求項１】
ひとくち大の大きさに切った干しバナナ（１）と、干しバナナや（１）の干しバナナに、チョコレートをコーティングしたチョコレート味の干しバナナ。
【発明の詳細な説明】
【０００１】
【発明の属する技術分野】
本発明は、チョコレート味の干しバナナに関するものである。
【０００２】
【従来の技術】
従来、干しバナナは乾燥させたバナナをそのまま食品として利用している。
【０００３】
【発明が解決しようとする課題】
これは次のような問題点があった。
干しバナナは栄養的にも優れているが、固くて食べにくいし、どこでも気軽に食べられないため、忙しい現代人のための携帯栄養補助食品として利用されていない。また、干しバナナは製造する際に漂白剤を使用しているケースが多く、健康志向の高い現代には、なるべく使用しない方が望ましい。
本発明は以上の欠点を解決するためになされたものである。
【０００４】
【課題を解決するための手段】
（１）干しバナナをひとくち大に切る。そのままの干しバナナや（１）にチョコレートをコーティングする。
以上の製造方法からなるチョコレート味の干しバナナである。
【０００５】
【発明の実施の形態】
以下、本発明の実施の形態について説明する。
（イ）干しバナナをひとくち大の大きさに切る。
（ロ）丸のままの干しバナナや、（イ）を蒸すなど加熱して軟化させる。
（ハ）甘味料や香料、リキュールや洋酒などの入った溶液（１）に、（ロ）や（イ）や丸のままの干しバナナを浸す。
（ニ）チョコレートを溶かす。
（ホ）（ニ）を（イ）や（ロ）や（ハ）、（イ）（ロ）（ハ）の工程を施したもの、丸のままの干しバナナに付着させる。
また、型に（イ）や（イ）を軟化させたもの、または、（イ）を（１）に浸したものを入れる。そのときに一緒にナッツやレーズンを入れてもよい。そこに（ニ）を流し入れる。
（ヘ）表面にココアパウダーを付着させる。
【０００６】
【発明の効果】
本発明を使用することによって、固くて食べにくかった干しバナナがだれでもどこでも気軽に食べることができ、おやつとしても、携帯栄養補助食品としても、有用な菓子となる。また、チョコレートでコーティングされていると、干しバナナの色が見えなくなるため、今まで干しバナナを作るときに使用していた漂白剤を使用せずに済むので、健康志向の高い現代には適していると考えられる。
(57)【要約】【課題】容易にかつ確実に回転子バランスの調整を行うことが可能で、運転時における脱落も防止することができる回転子、および該回転子を具備した低振動、低騒音の電動機を提供することを目的とする。【解決手段】回転子鉄心２に複数個の孔３を形成し、孔３にバランス調整ピン４を圧入等の方法により装着した電動機の回転子１としたものであり、特別な部品を用いることなく、回転子１のバランス調整を容易に実現し、かつ電動機の運転時においても、バランス調整ピン４の脱落を防止することができる。【選択図】  図１
2004159474.tif 000002
【特許請求の範囲】
【請求項１】
回転子鉄心に形成された複数個の孔にバランス調整ピンを装着したことを特徴とする回転子。
【請求項２】
バランス調整ピンの装着が圧入であることを特徴とする請求項１に記載の回転子。
【請求項３】
請求項１または請求項２に記載の回転子と、該回転子を回転自在に保持するための軸受と、固定子により構成されていることを特徴とする電動機。
【発明の詳細な説明】
【０００１】
【発明の属する技術分野】
本発明は、電動機の回転子構造に係るものであり、回転子のバランス調整構造に関するものである。
【０００２】
【従来の技術】
電動機の振動、騒音を低減させるために多くの手段が採用されており、回転子に関しては、そのバランスを向上させることが有効な手段の一つである。
【０００３】
従来、回転子のバランス調整は、回転子鉄心外径を切削し調整されている。
【０００４】
また、バランス部材を付加してバランス調整を図る方法としては、例えば、特開平６−３３９２４７号公報が知られており、これによれば、回転ファンが取り付けられた回転軸に、質量の分布が非対称な略リング状のアンバランス部材を、回転子のアンバランス位置と位相をずらして装着した回転ファン付電動機が開示されている。
【０００５】
さらに、パテ等を回転子に付着させることでバランス調整を図ることもなされている。
【０００６】
【発明が解決しようとする課題】
しかしながら、前記従来の回転子鉄心外径切削によるバランス調整では、積層された鉄心の剥れが発生し、また切削面のバリもしくは微細な切り屑等の処理が必要となり、製造工程が煩雑になる。
【０００７】
また、質量の分布が非対称な略リング状のアンバランス部材による方法では、形状の異なる複数のアンバランス部材が必要である。
【０００８】
さらに、パテ等によるバランス調整においては、運転時の脱落防止策を講じる必要がある。
【０００９】
本発明は、容易にかつ確実に回転子バランスの調整を行うことが可能で、運転時における脱落も防止することができる回転子、および該回転子を具備した低振動、低騒音の電動機を提供することを目的とする。
【００１０】
【課題を解決するための手段】
本発明は前記従来の課題に鑑みなされたものであり、回転子鉄心に複数個の孔を形成し、該孔にバランス調整ピンを圧入等の方法により装着した電動機の回転子としたものであり、特別な部品を用いることなく、回転子のバランス調整を容易に実現し、かつ電動機の運転時においても、バランス調整ピンの脱落を防止することができる。
【００１１】
【発明の実施の形態】
本発明の請求項１に記載の発明は、回転子鉄心に形成された複数個の孔にバランス調整ピンを装着したことを特徴とする回転子であり、回転子のバランス調整が容易である。
【００１２】
請求項２に記載の発明は、バランス調整ピンの装着が圧入であることを特徴とする請求項１に記載の回転子であり、バランス調整ピンの保持を強固なものとすることが可能で、電動機の運転時においてもその脱落を防止することができる。
【００１３】
請求項３に記載の発明は、請求項１または請求項２に記載の回転子と、該回転子を回転自在に保持するための軸受と、固定子により構成されていることを特徴とする電動機であり、電動機に回転翼などの負荷を取り付けたような場合であっても、その後バランス調整を容易に行うことができる。
【００１４】
【実施例】
以下、本発明の具体例を図１から図４を用いて説明する。
【００１５】
図１は本発明の回転子を示すものであり、図において、１は回転子、２は回転子鉄心、３は孔、４はバランス調整ピン、５は永久磁石、６は回転軸である。
【００１６】
回転子鉄心２は、金型で打抜かれた複数の電磁鋼板を積層して形成されており、その外周に永久磁石が配置されている。
【００１７】
孔３は、該打ち抜き時に同時に、回転軸６と同心円上に複数個形成（打ち抜き）されている。孔３の位置、形状（大きさ含む）または数は、磁束を考慮し選定する必要がある。
【００１８】
なお、孔３を貫通孔とすることで、表面積が増加し、放熱性能が向上するとともに、風穴的機能を果たし回転子１の冷却効率が向上する。しかし、本発明は貫通している場合に限定するものでなく、バランス調整ピン４が装着可能であれば良い。
【００１９】
バランス調整ピン４は孔３に圧入され、回転子１のバランスが確保されている。
【００２０】
図２は調整ピンを示す図である。図２に示すごとく、同一直径で長さの異なる形状とすることで、調整ピン４の質量を容易に変化させることが可能で、個々の回転子１によって異なるバランスの不均一に対応でき、作業性が向上する。なお、調整ピン４の形状は、図３に示すように孔３に装着されるピン部４Ａと質量部４Ｂとし、質量部４Ｂの形状（体積）変形させることで、前記同様の効果を得ることができる。なお、図３ではピンの形状は凸形を示すものであるが、その形状に限定するものではない。
【００２１】
図４は図３の調整ピンを具備した回転子の断面図である。図３に示すように、アンバランス量の異なる複数のアンバランス部材を組み合わせて装着することによってバランス修正が安易に行え、作業性が向上する。
【００２２】
なお、以上説明において回転子は永久磁石を備えるものであるが、該回転子に限定するものではない。
【００２３】
【発明の効果】
以上の説明の通り、本発明の電動機の回転子は、固定子鉄心に複数個形成された孔にバランス調整ピンを圧入して構成されているので、容易にかつ確実に回転子バランスの調整を行うことが可能で、運転時における脱落も防止することができる。
【図面の簡単な説明】
【図１】本発明の回転子の断面図
【図２】本発明の調整ピンを示す図
【図３】本発明の別の調整ピンを示す図
【図４】本発明の別の調整ピンを具備した回転子の断面図
【符号の説明】
１  回転子
２  回転子鉄心
３  孔
４  バランス調整ピン
６  回転軸
【図１】
2004159474.tif 000003
【図２】
2004159474.tif 000004
【図３】
2004159474.tif 000005
【図４】
2004159474.tif 000006
(57)【要約】【目的】簡単な構造の電力増幅機関を開発する事【構成】電気力学的に高トルク高回転数で消費電力の少ないデスクグラインダー等のモーターと電気力学的に比較的低回転抵抗の発電機を結合し、一つのバッテリーで可変抵抗を使って発電機の励磁電流を調節し、又バッテリーの電圧を利用して電力増幅機関を開発した。また充電されるバッテリーからデスクグラインダーの駆動源を得ながら増幅された分の電力を利用する事を特徴とし、又測定する計器、部品類は透明ビニールテープを巻き銅板で囲い、又携帯ラジオ上に置き、又発泡スチロールで囲い、又、計器を除いて永久磁石を付け、又閉ループコイルを付け、場合に依っては装置の各部品類を危険の無い程度に加熱又は冷却する。又遠赤外線布で覆った物、又デジタル高周波を発生させる物を装備した物。以上のの物を組み合わせ、装備した事を特徴として電力を増幅する事を特徴とする電力増幅機関。【選択図】      図１
2004159488.tif 000002
【特許請求の範囲】
【請求項１】
デスクグラインダー、電動ドリル等の比較的、高トルク、高回転数のモーターと比較的、低回転抵抗の発電機、例えば自動車用ダイナモ、の軸を直結し、一つのバッテリのみを使い発電機の励磁電流を可変抵抗で調整し、バッテリーの電圧等を利用して、入力電力より大きな出力電力を発生させる事。又、電圧計、電流計、装置の各部品類を透明ビニールテープを巻き、周囲を銅板で囲う事。又、更に必要に応じて周囲に発泡スチロール、永久磁石を装備し、計器類は携帯ラジオ上に置く。又更に必要に応じて計器類、部品等を危険の無い程度に加熱又は冷却する事。又閉ループのコイルを装備する事。又遠赤外線布で覆った事、又デジタル高周波を発生させる物を装備した事。以上の事を合わせ特徴とし電力を増幅する電力増幅機関。
【請求項２】
請求項１の装置で、入力電力に出力電力の一部を利用して作動させ、増幅した分の電力を利用する事が出来る事を特徴とする電力増幅機関。
【請求項３】
請求項１の装置で、一次側の高トルク高回転数のモーターと二次側の比較的、低回転抵抗の発電機を適当な比率のプーリを利用してベルトで結合させ入力電力より大きな出力電力を得る事を特徴とする電力増幅機関。
【発明の詳細な説明】
【０００１】
【産業上の利用分野】
既存の電力を利用して、増幅した電力を利用する事が出来る電力製造装置として利用する事が出来る。
【０００２】
【従来の技術】
自然現象等を利用して発電する物は有ったが、電気的、機械的部品の組み合わせで発電する装置は無かった。
【０００３】
【発明が解決しようとする課題】
この発明が解決しようとする課題は、簡単な電気的、機械的な部品の組み合わせで発電する装置を開発する事にある。
【０００４】
【課題を解決する為の手段】
本発明はバッテリーの電圧を利用し、デスクグラインダー等の高トルク低消費電力のモーター、及び低回転抵抗の発電機を利用してこの問題を解決した。
【０００５】
【作用】
この装置を利用して、電力増幅を実現した。
【０００６】
【実施例１】
図１、の如くの低回転抵抗の発電機、及び高トルク低消費電力のモーター、デスクグラインダー等の組み合わせ及びバッテリーの電圧を利用し、又発電機の励磁電流を調整させる事に依って電力増幅に成功した。
【０００７】
【実施例２】
図２、の如く１００Ｖ、５０、６０ヘルツの代わりに、数個のバッテリーの直流電源を利用してデスクグラインダー等のモーターを作動させ、発電機を作動させて増幅された電力を利用する事ができた。
【０００８】
【実施例３】
図３、の如くの低回転抵抗の発電機、及び高トルク低消費電力のモーター、デスクグラインダーを適当な比率のプーリーを利用してベルトで結合させて電力増幅した。
【０００９】
【発明の効果】
図１、図２、図３で表せる装置に依り、増幅電力を利用出来た。
【図面の簡単な説明】
【図１】平面図
この発明の構造の説明図である。
【図２】平面図
この発明の構造の説明図である。
【図３】平面図
この発明の構造の説明図である。
【符号の説明】
▲１▼デスクグラインダー等、高トルク高回転数モーター
▲２▼自動車用等発電機（整流器付）
▲３▼カップリング部分
▲４▼可変抵抗器（励磁電流調整用）
▲５▼スライドトランス
▲６▼１００Ｖ，５０，６０ヘルツ交流電源
▲７▼被充電用バッテリー
▲８▼被充電及び駆動用バッテリー
▲９▼入力電圧計
▲１０▼入力電流計
▲１１▼出力電圧計
▲１２▼出力電流計
▲１３▼計器、部品類を透明ビニールテープで巻き、周囲を銅板で囲ったもの、又計器類は携帯ラジオ上に置き、計器類を除いて永久磁石を装備したもの、又発泡スチロールで覆ったもの、又閉ループコイルを装備したもの、又必要に応じて危険の無い程度に加熱または冷却したもの。又遠赤外線布で覆った物、又デジタル高周波を発生させる物を装備した物。
▲１４▼適当な比率のプーリー
▲１５▼ベルト
▲１６▼励磁電流計
【図１】
2004159488.tif 000003
【図２】
2004159488.tif 000004
【図３】
2004159488.tif 000005
(57)【要約】      （修正有）【課題】低電圧充電器と併用して急速化学反応作業でバッテリを急速充電可能な突入電流器を提供する。【解決手段】鉛バッテリ１のプラス極２とマイナス極３を抵抗４を介してタイマスイッチ５で、５秒間隔で繰り返しショートさせ、充電器（ＡＣ１００Ｖ入力）と併して、急速に鉛バッテリ液の比重低下により、急速充電を行う。【選択図】図１
2004159484.tif 000002
【特許請求の範囲】
【請求項１】
バッテリのプラス極にタイマスイッチのプラス部に接続しマイナス極をマイナス部に接続する。マイナス極から抵抗を介しＣＯＭ部に接続し自動接点部から抵抗を介しプラス極と５秒間隔でＯＮ、ＯＦＦ繰り返し突入電流させバッテリ液が急速化反応により比重低下の結果、急速充電する。
【発明の詳細な説明】
【０００１】鉛バッテリに従来充電器（入力１００Ｖ）と突入電流器を取り付け併用急速充電
【０００２】バッテリのプラス極とナイマス極に抵抗で弱電回路をタイマで繰り返しショートさせるとバッテリ液が突然比重低下状態になり電圧が急上昇し急速充電になります。
【発明の属する技術分野】
鉛バッテリのプラス極とマイナス極を抵抗介しタイマスイッチで５秒間隔で繰り返しショートさせ従来充電器（ＡＣ１００Ｖ入力）と併用により急速にバッテリ液が比重低下により急速充電する。
【従来の技術】鉛バッテリＪＳ規格４２Ｂを従来充電器（ＡＣ１００Ｖ）で充電すると８時間必要である。もう一つの方法は２００Ｖ２５Ａ以上の高電力必要である。バッテリ液比重上昇充電は長時間必要である。
【発明が解決する課題】
低電圧（入力ＡＣ１００Ｖ）急速充電時間短縮
【課題を解決するための手段】
プラス極とマイナス極を５秒間隔で突入電流（ショート）で従来充電器と併用により急速化学反応が発生で急速充電させるには、比重低下作用手段である。
【発明の実施の形態】従来充電器と突入電流器併用で鉛バッテリのプラス極とマイナス極を抵抗を介しショートさせると急速にバッテリ液が刺激することになり急速化学反応発生で比重低下は、従来方法は、電圧降下であるが本発明は、電圧上昇する。
【実施例】ＪＳ規格４２Ｂ直列接続し従来充電器（ＡＣ１００Ｖ）と突入電流器と併用結果
充電開始時２４Ｖ４０  ２０分経過後２５Ｖ５０に電圧上昇その後従来充電器のみで１０分間使用すると急速充電する。
【発明の効果】従来充電器ＡＣ１００Ｖ突入電流器併用により比重測定に関係なく３０分以内で急速充電する。
【図面の簡単な説明】
【図１】突入電流器の平面図である。
【符号の説明】
１．鉛バッテリ    ２．プラス極          ３．マイナス極
４．抵抗          ５．タイマスイッチ    ６．入力プラス電源
７．入力マイナス電源  ８．マイナス極自動接点ＣＯＭ入力
９．自動接点出力
【図１】
2004159484.tif 000003
(57)【要約】【目的】簡単な構造の電力増幅機関を開発する事【構成】電気力学的に高トルク高回転数で消費電力の少ないデスクグラインダー等のモーターと電気力学的に比較的低回転抵抗の発電機を直結し、一つのバッテリーで可変抵抗を使って発電機の励磁電流を調節し、又バッテリーの電圧を利用して電力増幅機関を開発した。また充電されるバッテリーからデスクグラインダーの駆動源を得ながら増幅された分の電力を利用する事を特徴とし、又測定する計器は透明ビニールテープを巻き銅板で囲う。以上の事を特徴とする電力増幅機関。【選択図】        図１
2004159487.tif 000002
【特許請求の範囲】
【請求項１】
デスクグラインダー、電動ドリル等の比較的、高トルク、高回転数のモーターと比較的、低回転抵抗の発電機、例えば自動車用ダイナモ、の軸を直結し、一つのバッテリのみを使い発電機の励磁電流を可変抵抗で調整し、バッテリーの電圧等を利用して、入力電力より大きな出力電力を発生させる事。又、電圧計、電流計は透明ビニールテープを巻き、周囲を銅板で囲う事。以上の事を特徴とする電力増幅機関。
【請求項２】
請求項１の装置で、入力電力に出力電力の一部を利用して作動させ、増幅した分の電力を利用する事が出来る事を特徴とする電力増幅機関。
【発明の詳細な説明】
【０００１】
【産業上の利用分野】
既存の電力を利用して、増幅した電力を利用する事が出来る電力製造装置として利用する事が出来る。
【０００２】
【従来の技術】
自然現象等を利用して発電する物は有ったが、電気的、機械的部品の組み合わせで発電する装置は無かった。
【０００３】
【発明が解決しようとする課題】
この発明が解決しようとする課題は、簡単な電気的、機械的な部品の組み合わせで発電する装置を開発する事にある。
【０００４】
【課題を解決する為の手段】
本発明はバッテリーの電圧を利用し、デスクグラインダー等の高トルク低消費電力のモーター、及び低回転抵抗の発電機を利用してこの問題を解決した。
【０００５】
【作用】
この装置を利用して、電力増幅を実現した。
【０００６】
【実施例１】
図１、の如くの低回転抵抗の発電機、及び高トルク低消費電力のモーター、デスクグラインダー等の組み合わせ及びバッテリーの電圧を利用し、又発電機の励磁電流を調整させる事に依って電力増幅に成功した。
【０００７】
【実施例２】
図２、の如く１００Ｖ、５０、６０ヘルツの代わりに、数個のバッテリーの直流電源を利用してデスクグラインダー等のモーターを作動させ、発電機を作動させて増幅された電力を利用する事ができた。
【０００８】
【発明の効果】
図１、図２で表せる装置に依り、増幅電力を利用出来た。
【図面の簡単な説明】
【図１】平面図
この発明の構造の説明図である。
【図２】平面図
この発明の構造の説明図である。
【符号の説明】
▲１▼デスクグラインダー等、高トルク高回転数モーター
▲２▼自動車用等発電機（整流器付）
▲３▼カップリング部分
▲４▼可変抵抗器（励磁電流調整用）
▲５▼スライドトランス
▲６▼１００Ｖ，５０，６０ヘルツ交流電源
▲７▼被充電用バッテリー
▲８▼被充電及び駆動用バッテリー
▲９▼入力電圧計
▲１０▼入力電流計
▲１１▼出力電圧計
▲１２▼出力電流計
▲１３▼計器を透明ビニールテープで巻き、周囲を銅板で囲ったもの
【図１】
2004159487.tif 000003
【図２】
2004159487.tif 000004
(57)【要約】【課題】本発明は、鍼灸治療において、使用する鍼にダイオードの整流作用を及ぼすようにし、より簡単に接続できるようにした鍼用ダイオードクリップを提供することを目的とする。【解決手段】本発明の鍼用ダイオードクリップ１は、金属製導電体からなり、鍼を挟持する左右一対の挟持部２と、該挟持部２を常時閉鎖する方向に付勢するつる巻バネ（図示せず）を備え、前記挟持部２に形成した取付部３を軸支した軸受部４と、前記挟持部２の延長端に指を載せる平面部（図示せず）を備え、前記挟持部２を開閉させる左右一対の把持部５とからなる。さらに、前記把持部５の一方には、ダイオード６のリード線が溶接固定され、該ダイオード６及び挟持部２を一体に被覆する保護カバー７が設けられる。【選択図】  図１
2004159780.tif 000002
【特許請求の範囲】
【請求項１】
鍼を挟持する左右一対の挟持部と、該挟持部を常時閉鎖する方向に付勢するつる巻バネを備え、前記挟持部に形成した取付部を軸支した軸受部と、前記挟持部の延長端に指を載せる平面部を備え、前記挟持部を開閉させる左右一対の把持部と、該把持部の一方に溶接固定されたダイオードと、該ダイオード及び挟持部を一体に被覆する保護カバーとからなることを特徴とする鍼用ダイオードクリップ。
【発明の詳細な説明】
【０００１】
【発明の属する技術分野】
本発明は、鍼灸治療において、使用する鍼にダイオードの整流作用を及ぼすようにした鍼用ダイオードクリップに関する。
【０００２】
【従来の技術】
従来、鍼灸治療は、身体のツボに対して針を刺すことによって鍼灸効果を得るものである。
このような鍼灸治療においては、身体に弱電流を流すことによって電気療法を施す場合があり、これは身体に刺した複数の針に電極を接続し、この電極に対し通電装置から弱電流を送るようにしたものである。
ところが、上記電気療法は、身体に対して外部装置から強制的に弱電流を送る方法であり、そのための通電装置を必要とすることや、身体に弱電流を流すことに対して抵抗のある人には不向きであること等の欠点を有していた。
そこで、身体が本来有している微小電流に無電源で鍼に対してダイオードの整流作用を及ぼすことによって、血行不良その他の要因により身体局部に偏在した負電荷または正電荷を中和させ、これにより身体の電気的バランスを正常状態に回復するようにしたダイオード鍼が、特開平８−２０６１７０号公報として公知となっている。
【０００３】
【特許文献】
前記特開平８−２０６１７０号公報は、図３に示すように、スリーブ５’の中央にダイオード３’が嵌合され、前記スリーブ５’が鍼１’の鍼柄部２’の後端から外嵌されることにより、前記ダイオード３’のリード線４ａ’、４ｂ’が前記鍼柄部２’に対して接続されるようにしたものである。
しかし、前記特開平８−２０６１７０号公報は、上記スリーブ５’に鍼柄部２’を挿入しなければならず、接続が面倒であった。
【０００４】
【発明が解決しようとする課題】
本発明は、鍼灸治療において、使用する鍼にダイオードの整流作用を及ぼすようにし、より簡単に接続できるようにした鍼用ダイオードクリップを提供することを目的とする。
【０００５】
【課題を解決するための手段】
そのために、本発明の鍼用ダイオードクリップは、鍼を挟持する左右一対の挟持部と、該挟持部を常時閉鎖する方向に付勢するつる巻バネを備え、前記挟持部に形成した取付部を軸支した軸受部と、前記挟持部の延長端に指を載せる平面部を備え、前記挟持部を開閉させる左右一対の把持部と、該把持部の一方に溶接固定されたダイオードと、該ダイオード及び挟持部を一体に被覆する保護カバーとからなるものである。
【０００６】
【発明の実施の形態】
以下、本発明の実施例を添付図面に基づいて説明する。
本発明の鍼用ダイオードクリップ１は、金属製導電体からなり、図１に示すように、鍼を挟持する左右一対の挟持部２と、該挟持部２を常時閉鎖する方向に付勢するつる巻バネ（図示せず）を備え、前記挟持部２に形成した取付部３を軸支した軸受部４と、前記挟持部２の延長端に指を載せる平面部（図示せず）を備え、前記挟持部２を開閉させる左右一対の把持部５とからなる。
さらに、前記把持部５の一方には、ダイオード６のリード線が溶接固定され、該ダイオード６及び挟持部２を一体に被覆する保護カバー７が設けられる。
前記ダイオード６は、（＋）と（−）との２種の整流作用を行うことができるように、それぞれリード線を変えて前記把持部５に溶接固定される。
その際、２種類のダイオード６を区別するために、例えば（＋）を赤色、（−）を青色の保護カバー７により色分けすればよい。
なお、保護カバー７は、プラスチックチューブなどの絶縁性材料から形成すればよい。
【０００７】
次に、本発明の鍼用ダイオードクリップを使用する鍼灸治療について、図２に基づいて説明する。
まず、身体のツボに対して鍼８を刺し、身体に先端を刺した鍼８に、図２に示すように、鍼８の他端を鍼用ダイオードクリップ１で挟み、ダイオード６の整流作用により生体電流を一方向に流すようにする。
例えば、（＋）赤色の保護カバー７の鍼用ダイオードクリップ１を使用した場合は、負電荷に偏った身体の電荷はダイオード６へ流れて空気中に放電され、身体の電気的バランスが正常状態に回復し、逆に（−）青色の保護カバー７の鍼用ダイオードクリップ１を使用した場合は、ダイオード６の整流作用によって電流は空気側から身体側に流れて、身体の負電荷が正電荷によって電気的に中和される。
また、前記鍼用ダイオードクリップ１を直接、ツボに粘着テープで貼着することにより、前記と同様な整流作用を行うこともできる。
さらに、治療用金属導子の低周波電極を前記鍼用ダイオードクリップ１で挟むこともできる。
【０００８】
【効果】
このように、本発明の鍼用ダイオードクリップは、ダイオードの整流作用を利用した為、電源が不要で半永久的に使用でき、着脱自在性に富むため、場所を問わずに手軽に使用することができる。
【図面の簡単な説明】
【図１】本発明の鍼用ダイオードクリップの正面図である。
【図２】本発明の鍼用ダイオードクリップの使用状態の正面図である。
【図３】従来のダイオード鍼の縦断面図である。
【符号の説明】
１  鍼用ダイオードクリップ
２  挟持部
３  取付部
４  軸受部
５  把持部
６  ダイオード
７  保護カバー
８  鍼
【図１】
2004159780.tif 000003
【図２】
2004159780.tif 000004
【図３】
2004159780.tif 000005
(57)【要約】【課題】広い範囲で自動的に位置合わせをする。角膜反射や瞳孔が映ってなくてもできるようにする。【解決手段】まぶた縁や虹彩を検知し位置合わせを行う。【選択図】        図１
2004159732.tif 000002
【特許請求の範囲】
【請求項１】
被検眼前眼部を照明し撮像する撮像手段と、検眼光学系を位置合わせ駆動する駆動手段と、前記撮像手段の信号を演算し被検眼の虹彩または瞼縁により被検眼位置を検知し前記駆動手段により検眼光学系を位置合わせすることを特徴とする検眼装置。
【請求項２】
瞼縁を横線として認識する請求項１の検眼装置。
【請求項３】
虹彩を検出信号レベルまたは虹彩パターンにより認識する請求項１の検眼装置。
【請求項４】
撮像手段光学系の像面照度を記憶しておく請求項１の検眼装置。
【請求項５】
前眼部を検眼光軸の上部から照明する請求項１の検眼装置。
【発明の詳細な説明】
【０００１】
【発明の属する技術分野】
眼科病院や眼鏡店で使われるオートレフラクトメータやオートケラトメータなどの検眼装置に関する。
【０００２】
【従来の技術】
撮像手段で前眼部を映し位置合わせをする検眼装置では瞳孔部や角膜反射の画面内の位置により位置合わせをしている。
【０００３】
【発明が解決しようとする課題】
しかしながらそれらが映っていないときは位置合わせができない。撮像視野を広くすると眼が小さく映り細部が分からなくなる。特に角膜測定に撮像手段を兼用する場合には大きく映す必要がある。
【０００４】
撮像手段で被検眼を大きく写し広い範囲で被検眼を検出し位置合わせ駆動をする検眼装置とすることを目的とする。
【０００５】
【課題を解決するための手段】
被検眼前眼部を照明し撮像する撮像手段と、検眼光学系を位置合わせ駆動する駆動手段と、前記撮像手段の信号を演算し被検眼の虹彩または瞼縁により被検眼位置を検知し前記駆動手段により検眼光学系を位置合わせすることを特徴とする。
【０００６】
【発明の実施の形態】
図１は本発明一実施形態であり自動的に位置合わせをして角膜曲率を測定する検眼装置である。測定光学系６を含む測定部３は基台１に対して駆動手段２で三次元的に移動し被検眼Ｅに位置合わせをする。測定光軸０１より上部の両側に設けられた近赤外照明光源８で被検眼Ｅ前眼部が照明され光学系６により前眼部をビデオカメラである撮像手段５に結像する。撮像された前眼部像信号は逐次演算手段４に取り込まれ被検眼の位置が認識されそれに基づき駆動手段２が駆動され光軸０１を被検眼Ｅに合わせる。リング光源７は角膜曲率測定用であり位置合わせが終わると光源７を発光しこの角膜反射像を同じ撮像手段５で撮像し演算手段４で角膜曲率が演算される。
【０００７】
図２ａは撮像手段５に映った被検眼Ｅ前眼部像であり位置合わせができている場合である。光源８の角膜反射８′が瞳孔Ｐのやや上に映っている。虹彩Ｐは近赤外光で照明されているので襞が良く映る。線９などの縦線は最初の位置合わせ時に被検眼位置を検出するときに使う信号位置を示す。それらの線上の信号を演算して被検眼位置を検知する。画面全部の信号を使わないので計算時間が短い。瞼縁Ｌは横線であり虹彩は大きいので眼の一部が画面内にあればこれらの縦線と交差し眼が検出できる。図２ｂは線９上の信号強度を示す。横軸が強度で縦軸は画面縦位置を示す。瞼縁Ｌは暗い線となり信号強度は下がる。照明光源８を撮像光軸０１より上に設けることにより瞼の影が増え瞼縁の検出認識が容易となる。瞳孔部Ｐは暗く映り信号強度は低い。虹彩Ｉは近赤外光で照明すると反射率がかなり高いが瞼や強膜部より低い。襞があるので高周波成分をかなり含む。
【０００８】
図３は位置合わせの最初の状態である。最初は一般に距離もアライメントも違っているのでボケて偏芯した被検眼像が映る。図２ａの如き２０本程の縦線上の信号を演算し被検眼位置を検知する。均質な物体に対する撮像手段５の撮像面の像面照度を予め演算手段４に記憶しておく。照明の不均一性や光学系６のヴィネティングなどで像面照度は一様ではない。大抵中心部が明るく周辺部は暗い。被検眼を信号強度で認識する場合にそれを参照して判断すると像面照度の不均一性の影響を受けない。図３ｂは線１０の信号強度を示す。画面の左下に被検眼がボケて映っている。虹彩部Ｉの部分は画面周辺なので信号は中心より低いが更に低下している。ボケているので虹彩の襞は映らないが虹彩自体に面積があるのでボケていても信号の低化している部分は眼と認識できる。眼が画面の左下にあることが認識できれば駆動手段２で測定部３を被検眼Ｅが画面の中心にくるように駆動する。または眼の画面部分がピントが合うように駆動手段２で光軸０１方向距離を調整する。
【０００９】
図４は眼が上に偏芯したときの画像と信号強度を示す。ピントは合っているので虹彩Ｉの襞ははっきりと映る。縦線の一本である線１１の信号強度を図４ｂに示す。虹彩部Ｉは参照像面照度に比較して低下しており且つ襞の凹凸が生じる。虹彩を画面照度または襞による虹彩パターンで認識する。虹彩パターンは線１０の信号の高周波成分で認識する。これにより被検眼が上に偏芯しているのが分かるのでアライメントが合うように駆動する。
【００１０】
図５は被検眼が左に偏芯した状態の撮像画面で複数縦線の一本である線１１の信号を図５ｂに示す。瞼縁Ｌは暗い線として信号強度は下がる。画面の右の線でこのような線即ち幅の狭い信号低下部が認識されれば眼は左にあることが検知できる。瞼縁Ｌを認識するには線１２の信号の微分成分を演算しその大きな位置として認識する。認識位置に基づき被検眼像が画面の中心にくるように駆動手段２を駆動し位置合わせを行う。瞳孔Ｐや角膜反射８′が画面に入るようになればあとはそれらをトレースして精度の良い位置合わせを行えばよい。光源７を位置合わせ時に点灯しこの角膜反射像を位置合わせに使ってもよい。
【００１１】
【発明の効果】
撮像手段で前眼部を映し被検眼の位置合わせをする検眼装置について、広い範囲で位置合わせが可能となる。
【図面の簡単な説明】
【図１】本発明検眼装置の構成を示す。
【図２】被検眼前眼部映像とその信号を示す。
【図３】ボケて偏芯した前眼部像とその信号を示す。
【図４】上に偏芯した前眼部とその信号を示す。
【図５】右に偏芯した前眼部とその信号を示す。
【図１】
2004159732.tif 000003
【図２】
2004159732.tif 000004
【図３】
2004159732.tif 000005
【図４】
2004159732.tif 000006
【図５】
2004159732.tif 000007
(57)【要約】      （修正有）【課題】用途別に区別が可能で管理が行い易く、容易に混同を生じることのないまな板を安価に提供する。【解決手段】板状体で構成されるまな板の少なくとも一つの角部を斜め方向に切欠いた切欠き部を有し、該切欠き部に着色部を有することを特徴とするまな板であって、着色部が着色した合成樹脂加工材を圧入したものであることが好ましい。また、着色部の全部叉は一部がまな板の使用面に達しない位置に設けられており、該まな板の組合せであって、該着色部同士がそれぞれ異なる色彩である複数のまな板を組合せて成るまな板であってもよい。【選択図】図２
2004159729.tif 000002
【特許請求の範囲】
【請求項１】
板状体で構成されるまな板の少なくとも一つの角部を斜め方向に切欠いた切欠き部を有し、該切欠き部に着色部を有することを特徴とするまな板。
【請求項２】
着色部が着色した合成樹脂加工材を圧入したものである請求項１記載のまな板。
【請求項３】
着色部の全部叉は一部がまな板の使用面に達しない位置に設けられている請求項１又は２記載のまな板。
【請求項４】
まな板の少なくとも一つの角部を斜め方向に切欠いた切欠き部を有し、該切欠き部に着色部を有するまな板の組合せであって、該着色部同士がそれぞれ異なる色彩である複数のまな板を組合せてなるまな板。
【発明の詳細な説明】
【０００１】
【発明の属する技術分野】
本発明は、調理用のまな板に関し、給食所、保育所、外食産業、その他複数のまな板を用途別に並行して使用する際のまな板の改良に関する。
【０００２】
【従来の技術】
従来調理用まな板として、木製やポリエチレンなどの合成樹脂製のまな板が広く用いられている。これらのまな板の多くは、無着色であるか、もしくは全体を単純な色彩に着色したものであった。一方複数のまな板を同時に用いる外食産業や、給食センター、保育所などの業務用のまな板にあっては、例えば食肉用、野菜用、魚類用など食品毎に異なったまな板を用い、匂いや雑菌の付着等を防止する必要があり、そのためにはそれぞれの用途のまな板を別々にして混用されないように区別し管理する必要がある。また、業務用に限らず、家庭にあっても、食物性アレルギー患者を抱えた家庭等にあっては、業務用と同様食品別に異なったまな板を用意し、それらが相互に混同されることを厳密に防止する必要がある。
【０００３】
この目的で、まな板の側端部に着色し、まな板の用途ごとの区分が容易に確認できるようにした側端部着色まな板が特許文献１に提案されている。
しかしながら、この側端部着色まな板は、１つの側面だけに着色した場合、該方向以外からは着色が識別できず本来の目的を達成することができない。また、まな板の全周部に着色を施した場合には、着色量が膨大になり多額の費用がかかる欠点を有していた。
【０００４】
【特許文献１】
特開平５−１４６３６９号公報
【０００５】
【発明が解決しようとする課題】
本発明はこのような不具合を解消し、用途別に区別が可能で管理が行い易く、容易に混同を生じることのないまな板を安価に提供することを目的とする。
【０００６】
【課題を解決するための手段】
すなわち本発明は、
［１］板状体で構成されるまな板の少なくとも一つの角部を斜め方向に切欠いた切欠き部を有し、該切欠き部に着色部を有することを特徴とするまな板、
［２］着色部が着色した合成樹脂加工材を圧入したものである［１］項記載のまな板、
［３］着色部の全部叉は一部がまな板の使用面に達しない位置に設けられている［１］又は［２］項記載のまな板、
［４］まな板の少なくとも一つの角部を斜め方向に切欠いた切欠き部を有し、該切欠き部に着色部を有するまな板の組合せであって、該着色部同士がそれぞれ異なる色彩である複数のまな板を組合せて成るまな板
である。
【０００７】
【発明の実施の形態】
図１は、本発明の基本的な構成にかかる実施例のまな板を示すもので、図１は完成したまな板を示す平面図、図２は同じまな板の部分切欠斜視図である。図１に示すとおり、まな板１は無着色のポリエチレン板である合成樹脂まな板材２からなっており、その少なくとも１つの角部が切欠き部３であり、該切欠き部に着色したポリエチレンの薄板から成る着色部４を圧入した後、共加工してある。着色部は着色したポリエチレンの薄板から成る着色部４を熱融着したもの、あるいは着色部を印刷したものであっても良い。
この例では、対角側の角部にも同一の着色部４が設けられているが、必要に応じて一方の角にのみ設ける、あるいは４つの角部の全てに着色部を設けるなどその設置場所は任意であり、かつ用途に応じた任意の色彩を施すことができる。また該着色部は、適当な厚みを有する合成樹脂板であるので、長期間使用しても擦り減って識別できなくなるなどの問題が生ぜず、まな板の寿命が尽きるまで識別が可能である。また立て掛けて保管したり、消毒液に浸けてあっても、その側部の着色部によって識別は可能であり、特に積み重ねてあった場合でも側面から容易に判別できるから管理がし易いものである。
【０００８】
このようにして得られたまな板１について、着色部４の色彩を異ならせたまな板１を複数用意すれば、用途別の管理が可能であり、また相互に容易に識別できるので、混同を生ずることがない。また着色部４は、まな板１の側面に設けられているので、まな板１を不使用時や消毒時に立てて管理する場合にも、容易に識別できる利点がある。更に着色部は側面にのみ設けられているため該着色部に含まれる有機・無機の顔料等が調理品に混入することがなく、安全性も高い。
【０００９】
まな板材は、木材などでもよいが、衛生面からはポリエチレンなどの合成樹脂材料が望ましい。またこの発明に用いる合成樹脂としては、上記の例のポリエチレンなどの熱可塑性樹脂のほか各種の合成ゴムなども用いることができる。
【００１０】
また、まな板の厚みが十分にあり、強度に問題がない場合には、まな板の調理面は長方形のまま残し、厚み方向の中央部にのみ切欠き部と設け、該切欠き部に着色部を設けることも可能である。
本発明のまな板は、上記構造により、まな板の角部を切欠いた切欠き部にある着色部により、容易にまな板の種類を識別でき、相互に混同を生じることを防止できる。
【００１１】
【発明の効果】
本発明によれば、詳細に説明したとおり、着色部がまな板の角部の切欠き部にあることにより、複数のまな板の識別が容易で、用途の異なるまな板相互の混同を防止するまな板を安価に提供することができる。
また、本発明の着色部分は、まな板の側端部の１面、又は２〜４面に着色部を設けるよりも、きわめて少ない着色部を設けるだけで、側面のあらゆる方向から識別できるため、安価に製造することができ、工業的価値は多大なものである。
【図面の簡単な説明】
【図１】本発明のまな板の１例の平面図を示す。
【図２】図１においてＡ方向の斜め上から見た本発明のまな板の１例の部分斜視図を示す。
【符号の説明】
１  まな板
２  合成樹脂まな板材
３  切欠き部
４  着色部
【図１】
2004159729.tif 000003
【図２】
2004159729.tif 000004